(57)【特許請求の範囲】
【請求項１】
塗膜を塗布した基材を巻装した送出軸部、被転写体に塗膜を転写した後の基材を巻き取る巻取軸部、及び塗膜を基材に転写するための転写部を筐体に有した転写具において、前記筐体の転写部が位置する側とは反対側の部位に、磁性体の同極が接近した際に反転して異極同士が吸着するように該磁性体を移動可能に収納する収納部を有することを特徴とする転写具。
【請求項２】
磁性体はＮ極とＳ極とを隣接部位で交互に異ならせて一体とされていることを特徴とする請求項１記載の転写具。
【発明の詳細な説明】
【技術分野】
【０００１】
本発明は、種類や幅の異なる塗膜を有した転写具同士を集合させて一つにまとめて使いわけることができると共に、その状態でスチール製の事務用機器等に吸着させておくことができる転写具に関する。
【背景技術】
【０００２】
被転写体上の文字等を修正するために白色の修正塗膜を該被転写体に転写したり、被転写体と貼着体とを貼り合わせるために粘着塗膜を被転写体に転写する転写具が普及している。
【０００３】
この種の転写具の概略的な構成は、前記塗膜を塗布した基材を巻装した送出軸部、及び被転写体に前記塗膜を転写した後の基材を巻き取る巻取軸部を各々筐体に備え、さらに筐体から一部露出した状態で前記塗膜を基材に転写するための転写部を備えている。
【０００４】
そして、この種の転写具は使い勝手の向上が追求され、例えば以下の特許文献１には、修正する文字等の大きさが異なる場合でも１つの筐体の単一の操作で対応できるようにした転写具が提案されている。特許文献１の転写具は、１つの筐体内の相反する位置に転写部を配すると共に、これら転写部に幅の異なる塗膜を各々供給できるように２つの送出軸部を備えている。
【特許文献１】実開平６−１６３４８号公報
【０００５】
また、以下の特許文献２では、送出軸部、巻取軸部、転写部を軸状のカートリッジに収納し、塗膜の種類や幅なる塗膜に応じた複数のカートリッジを１つの筐体に配列変更可能に収納した転写具が提案されている。
【特許文献２】実用新案登録第３１０３２０１号公報
【０００６】
さらに、以下の特許文献３には、送出軸部と巻取軸部の駆動手段としてのギヤに代えて磁石ホイールを採用し、この磁石ホイールの互いのスリップを伴う吸着により駆動する構成が記載されている。また、特許文献３は、磁石ホイールを採用することでスチール製のテーブルやボードなどに吸着して保管することが記載されている。
【特許文献３】特開２００５−５９２４１号公報
【発明の開示】
【発明が解決しようとする課題】
【０００７】
しかしながら、上記した特許文献１〜３には、それぞれ以下の不具合があった。特許文献１は、同一筐体内で決められた２種類の塗膜にしか適用できないため、塗膜の組み合わせの自由度が低いといった不具合がある。
【０００８】
特許文献２は、特許文献１に較べると同一筐体内で複数種類の塗膜（カートリッジ）を収納することができるが、必要とする塗膜に交換する際に、軸状のカートリッジの配列を入れ替える必要があり不便である。
【０００９】
また、例えば特許文献３の磁石ホイールを例えば特許文献１の構成に転用した場合は、一方の送出軸部の磁石ホイールの磁力が他方の送出軸部の磁石ホイールに反発力又は吸着力として駆動に影響する可能性がある。つまり特許文献３は、複数の塗膜を使用操作により使い分ける転写具には転用できないという不具合がある。
【００１０】
本発明が解決しようとする問題点は、同一筐体内に２種類以上の任意の塗膜を適用できない点、複数種類の塗膜を任意に適用できても簡単に使い分けることができない点、磁石ホイールを有した場合には他の磁石ホイールの駆動に影響してしまう点、を解消することにある。
【課題を解決するための手段】
【００１１】
上記課題を解決するために、本発明の転写具は、転写部が位置する側とは反対側の部位に、磁性体の同極が接近した際に反転して異極同士が吸着するように該磁性体を移動可能に収納する収納部を有することとし、筐体（における磁性体同士）を互いに吸着させることで、異なる種類や異なる幅の塗膜を有した任意の本発明の転写具同士を１つに集合させて、使用操作によって容易に使い分けができるようにした。
【発明の効果】
【００１２】
本発明に係る転写具は、転写部が位置する側とは反対側の部位に、磁性体の同極が接近した際に反転して異極同士が吸着するように該磁性体を移動可能に収納する収納部を有するので、種類や幅が異なる塗膜を有した任意の本発明の転写具同士を、磁性体による互いの吸着により１つに集合させて使用できる。さらに、本発明の転写具は、他の本発明の転写具を１つに集合させる構成であるので、磁性体が吸着するならば、２種類（２個）以上の本発明の転写具同士を１つに集合させることができる。
【００１３】
また、本発明の転写具は、他の独立した本発明の転写具を１つに集合させることから、集合させたまま使用する場合は使用位置を変えたり、集合させたうちの１つだけを使用する場合は１つだけを剥離すればよいので、使い分けが非常に簡単である。
【００１４】
さらに、本発明の転写具は、磁性体が送出軸部及び巻取軸部の駆動に何ら関与しないから、集合させた状態でもそうでない状態でも使用感が変わることがない。また、本発明の転写具は、磁性体によってスチール製の机などの事務用機器に吸着させて片づけておくことができる。
【００１５】
さらに、本発明の転写具は、集合させた本発明の転写具同士の間に例えばメモやはがきなどを挟むことができ、メモスタンドのように使用することができる。
【００１６】
また、本発明の転写具は、上記に加え、特に転写部が位置する側とは反対側の部位に磁性体を有する構成とした場合は、上記した効果の他に、互いの転写部の邪魔にならないように集合させておくことができる。
【００１７】
また、本発明の転写具は、上記に加え、Ｎ極とＳ極とを隣接部位で交互に異ならせて一体とした磁性体を採用する構成とした場合は、上記した効果の他に、互いの本発明の転写具の極性を意識しないで集合させることができる。
【００１８】
また、本発明の転写具は、上記に加え、筐体内に磁性体を収納する収納部を有した構成とした場合は、筐体外面に磁性体が露出しなくなるので意匠性を損なうことがない。
【発明を実施するための最良の形態】
【００１９】
本発明は、例えば以下の形態により実施可能である。本発明の転写具は、転写部が位置する側とは反対側の部位に、磁性体の同極が接近した際に反転して異極同士が吸着するように該磁性体を移動可能に収納する収納部を有することを特徴としている。したがって修正塗膜又は粘着塗膜を有する転写具のいずれでも適用可能であり、かつ転写部の形状としてはローラ状又は舌状のいずれでも適用可能である。
【００２０】
転写具の基本的な構成は、従来のものと同等であり、塗膜を塗布した基材を巻装した送出軸部、被転写体に塗膜を転写した後の基材を巻き取る巻取軸部、及び塗膜を基材に転写するための転写部を筐体に有した構成である。
【００２１】
すなわち、本発明の転写具は、送出軸部、巻取軸部、転写部を有する転写具において、筐体の一部に磁性体を有することを特徴としている。磁性体は、例えば永久磁石を採用すればよい。ここでは、この磁性体自体の特徴、磁性体の配置、及び磁性体と筐体との配置関係について説明する。なお、具体的な実施例については後に図面を用いて説明する。
【００２２】
まず、磁性体は、出来る限り厚みが薄くされ、また、筐体の形状や集合部位の形状に応じて適切な形状とする。それでもなお、転写具を集合させたときに磁性体同士の厚みが問題となるので、転写部が位置する側とは反対側の部位に収納部を設けて、この収納部に磁性体の同極が接近した際に反転して異極同士が吸着するように該磁性体を移動可能に収納する。
【００２３】
磁性体は、例えばその全面がＮ極又はＳ極のものを採用してもよい。しかし、そのようにすると、転写具を集合させたときに対向させた磁性体が同極であると反発してしまい、集合させることができない可能性がある。
【００２４】
この点を考慮すると、磁性体は、例えばＮ極又はＳ極を短冊状にして同じく短冊状の無極部を介して不連続に配置すればよい。このようにすると、集合する転写具の対向する磁性体が同極であっても、少し位置をずらせば無極部とＮ極又はＳ極とが吸着するから、極性を意識しなくてよくなる。
【００２５】
磁性体は、例えばＮ極とＳ極とを短冊状にして交互に配置することで、集合する転写具の位置を少しずらせば異極同士を吸着させて集合可能となるものの前記のように位置が少しずれてしまう。そこで、本発明では転写部が位置する側とは反対側の部位に、磁性体の同極が接近した際に反転して異極同士が吸着するように該磁性体を移動可能に収納する収納部を有することとした。
【００２６】
ここで、筐体全体を無極のスチール製とした場合は、筐体全域において磁性体を吸着させることができるから、集合形態、つまり吸着箇所を意識しなくてよくなる。
【００２７】
磁性体は、転写部が位置する側とは反対側の部位に収納部を設けて、この収納部に磁性体の同極が接近した際に反転して異極同士が吸着するように該磁性体を移動可能に収納する。磁性体を設ける箇所は、他の本発明の転写具を集合させたときの全体の形状や使い勝手を考慮することが望ましい。
【００２８】
本発明の転写具は、集合させれば全体が大きくなるので、筐体は、集合させた状態を考慮してできる限りサイズを小さくしておくことが望ましい。
【００２９】
こうすれば、上記した磁性体の厚みや吸着部位を意識しなくてよくなり、磁性体は収納部内で他の本発明の転写具の磁性体の異極が対向するように自由に移動して吸着する。
【００３０】
つまり、磁性体の厚みは筐体内で吸収されて外面に生じることがなくなり、また、収納部内で磁性体が移動しうる場所であればどのようにも吸着させることができる。
【００３１】
さらに、上記の場合、磁性体が収納部内を自由移動することに伴ってこの移動時に、該磁性体が収納部内壁と衝突する音が気になる可能性がある。その際には、収納部内に軸を設けて、この軸を中心に回転可能に磁性体を枢支する構成とする。
【００３２】
このようにしておけば、磁性体は収納部内の軸を中心に自由に回転して互いの極を合わせて吸着するが、収納部内壁との衝突音が発生しない。
【実施例】
【００３３】
以下、本発明に係る転写具のさらに具体的な実施例を図面を参照して説明する。
図１及び図２は本発明の転写具の第１参考例を示す。図３及び図４は本発明の転写具の第２参考例を示す。図５及び図６は本発明の転写具の第３参考例を示す。図７は本発明の転写具の第４参考例を示す。図８〜図１１は本発明の転写具の第１実施例を示す。図１２及び図１３は、本発明の転写具の第２実施例を示す。
【００３４】
以下、本発明の転写具１は、各例共通の構成として、筐体２、該筐体２内における送出軸部（参照番号及び第１実施例以外図示省略）、巻取軸部（参照番号及び第１実施例以外図示省略）、転写部３を備えている。また、転写部３は、各例では舌状のものを採用しているがローラ状であっても構わない。なお、これらの構成について、本発明の特徴に関わりのない部分については、従来の転写具と同様の構成であるので説明や図示を省略する。
【００３５】
以下、転写部３において、未転写の塗膜Ｐが現れる側を「下」、塗膜Ｐを塗布した基材のみが現れる側、すなわち塗膜Ｐが被転写体上に転写されて基材のみが現れる側を「上」とする。また、転写部３の位置する方向と反対側の端部を「後」とする。さらに、転写部３の位置する方向から後端部へ向けての方向を「転写方向」と言う。
【００３６】
（第１参考例）
図１及び図２に示す第１参考例の転写具１は、筐体２の後端部が円弧状とされ、筐体２における転写方向の左右両側面に例えば円形の磁性体部４を設けている。
【００３７】
磁性体部４は、全体が例えば出来る限り薄いシート状とされ、詳細には磁石の極性を持つ極部４Ｎ（Ｎ極）又は極部４Ｓ（Ｓ極）とスチール材の無極部４ａとからなる。例えば、図１において、手前に現れている磁性体部４は極部４Ｎと無極部４ａで、奥に現れている磁性体部４は極部４Ｓと無極部４ａで構成されている。ここで、図１において手前に現れている磁性体部４を代表して説明を続けると、磁性体部４は、極部４Ｎと無極部４ａが各々短冊状とされ、交互に並べて一体とされている。
【００３８】
第１参考例では、図２（ａ）に示すように、図示する２つの転写具１，１は、転写部３を互いに相反する方向に向けた状態で磁性体部４同士を吸着させる。このとき、図２（ａ）で手前の転写具１は、上下も逆となり、図２（ｂ）に示すように、被転写体上に未転写の塗膜Ｐが現れている。
【００３９】
図２のように集合させたときの磁性体部４は、一方の転写具１の極部４Ｎは他方の転写具１の極部４Ｓとを吸着させることができるから、外形が一致する。
【００４０】
さらに、他の転写具１を集合させる場合であって、同極が対向する際には、磁性体部４の外形を一致させて重ねることができないものの、極部４Ｎ又は極部４Ｓと無極部４ａとを吸着させればよい。
【００４１】
このように、第１参考例構成の転写具１は、複数の転写具１を容易に集合させることが可能である。また、図２のように転写部３を相反する方向にして転写具１を集合させれば、図２（ａ）に示す状態で左側の転写具１を使用位置とすると、磁性体部４を中心に時計回りに全体を反転させるだけで同図に示す状態で右側の転写具１を使用できるという利点がある。
【００４２】
上記した利点は損なわれるが、図示しない集合態様、すなわち転写部３を同じ方向にして磁性体部４同士を吸着させた場合は、転写方向の全体の長さをコンパクトにすることができる。この集合態様は、使用時よりは未使用時に適している。
【００４３】
また、磁性体部４の厚みが気になる場合は、筐体２の厚みに磁性体部４全体を埋設する構成とすればよい。この構成であれば、当然のことながら磁性体部４の厚み分だけコンパクトになり、集合させた場合に不要な隙間が生じることがなく、意匠性にも優れたものとなる。
【００４４】
さらに、転写具１同士を集合させるために使用した磁性体部４以外の空いている磁性体部４を利用して、スチール製の事務機器に吸着させて収納することも可能であり、その際にメモなどを挟んでおくこともできる。
【００４５】
（第２参考例）
図３及び図４に示す第２参考例の転写具１は、筐体２が直方体状とされ、また、筐体２における上下面に例えば矩形の磁性体部４を設けている。
【００４６】
図３において上面に現れている磁性体部４はシート状の極部４Ｎと無極部４ａとからなり、下面に現れている磁性体部４は極部４Ｓと無極部４ａとからなる。磁性体部４は、第１参考例と同様に、極部４Ｎ又は極部４Ｓと無極部４ａが各々短冊状とされ、交互に並べて一体とされている。
【００４７】
図４（ａ）に示す集合態様は、転写具１の互いの下面同士を吸着させている。この場合、極部４Ｓ同士が対向することになるので、一方の転写具１の極部４Ｓは他方の転写具１の無極部４ａと、他方の転写具１の極部４Ｓは一方の転写具１の無極部４ａとを対向させて互いに吸着するようにしている。
【００４８】
このように集合させた場合は、図４（ａ）に示す状態で左側に転写部３が位置する転写具１を使用位置とすると、吸着した磁性体部４の部位を中心に時計回りに全体を反転させるだけで同図（ａ）に示す状態で右側に転写部３が位置する転写具１を使用できる。
【００４９】
一方、図４（ｂ）に示す集合態様は、一方の転写具１の下面と他方の転写具１の上面とを吸着させている。この場合は異極同士が対向することになるので、一方の転写具１の下面の極部４Ｓは他方の転写具１の上面の極部４Ｎと、一方の転写具１の下面の無極部４ａと他方の転写具１の上面の無極部４ａとが互いに吸着する。
【００５０】
このように集合させた場合は、全体を反転させるだけで一方と他方の転写具１を使い分けることができないものの、転写方向への全体の長さをコンパクトに集合させておくことができる。また、第２参考例の構成としても、上記した参考例と同様の変形が可能である他、同等の作用効果を得ることができる。
【００５１】
（第３参考例）
図５及び図６に示す第３参考例は、筐体２が第２参考例と同様に直方体状とされ、また、筐体２における後端部に例えば矩形の磁性体部４を設けている。
【００５２】
図５において示す磁性体部４は、例えば短冊状とされた極部４Ｎと無極部４ａとが交互に並べて一体とされている。もちろん極部４Ｓと無極部４ａとからなる磁性体４を採用してもよい。
【００５３】
図６に示す集合態様は、転写具１の互いの後端部同士を吸着させるが、このとき、図６に示す状態で右側の転写具１は上向きでも下向きでも構わない（同図左側の転写具１は下向きで使用状態となっている）。このようにすれば、ペン形状となるので、集合させた状態で使い勝手が向上する。また、第３参考例の構成としても、上記した参考例と同様の変形が可能である他、同等の作用効果を得ることができる。
【００５４】
（第４参考例）
図７に示す第４参考例は、磁性体部４の変形例についてである。第４参考例で示す磁性体部４１は、上記した第１〜第３参考例示した磁性体部４に代えて適用する。すなわち、磁性体部４１は、図７（ａ）（ｂ）に示すように極部４Ｎと極部４Ｓとが交互に配置されて一体とされている。
【００５５】
図７（ａ）に示す磁性体部４１は第１参考例で示した磁性体部４を、図７（ｂ）に示す磁性体部４１は第２，３参考例で示した磁性体部４を、変形させた状態を示す。このようにすることで、磁性体部４１間では、Ｎ極とＳ極とが互いに吸着する状態となるから強固に集合させておくことができる。
【００５６】
また、無極部４ａが存在しないから、スチール製の事務機器に強固に吸着させることができる。第４参考例の構成における磁性体部４１を上記に適用すれば、上記した同等の作用効果においてより強固に吸着させることができるようになる他、同様の変形が可能であることは言うまでもない。
【００５７】
（第１実施例）
図８〜図１１に示す第１実施例は、筐体２の一部として筐体２内に収納部２Ａを形成して、この収納部２Ａ内に磁性体４２を自由移動し得るように収納した構成である。収納部２Ａは、図９の断面図に示すように、例えば本実施例では筐体２の後端部に形成している。このとき、筐体２Ａは、図８に示すように矩形であることが望ましい。その理由は後述する。
【００５８】
収納部２Ａは、筐体２内のスペースに余裕があればどこに形成されていても構わないが、例えば図８に示すように矩形である場合は特に後端部に形成しておけば、図８〜図１１のように集合させることができる。筐体２は、その外形形状に曲面部を有すると安定して転写具１を集合させておくことができないため、矩形状の方が望ましいのである。
【００５９】
磁性体４２は、収納部２Ａ内を移動し得る永久磁石であれば形状は特に問わないが、特に矩形状とすることで筐体２を矩形状とすることと併せて安定して集合させることができる。
【００６０】
また、磁性体４２は、両端にＮ極とＳ極とを有するものを採用するが、収納部２Ａ内を自由に移動できるから、転写具１同士を集合させた際に仮に同極が接近しても該磁性体４２自身が反転して異極同士が吸着する。
【００６１】
このようにすることで、集合態様の自由度が向上する。つまり第１実施例の構成であれば、第１参考例における集合態様（左右側面）、第２参考例における集合態様（上下面）、第３参考例における（後端部）、のいずれの態様でも集合させることができる。
【００６２】
また、第１実施例の構成による転写具１は、磁性体４２が露出しないので、図８に示すように後端部で集合させたときには磁性体４２の厚みが生じることなく隙間無く集合させることができると共に、意匠性に優れる。
【００６３】
図１１は、第１実施例の転写具１を集合させて転写具１同士の間にメモＭを挟んでメモスタンドのように使用した状態を示す。なお、こうした使い方は、第１実施例に限らず、本発明の転写具１について全例で適応できることは言うまでもない。
【００６４】
（第２実施例）
図１２及び図１３に示す第２実施例は、第１実施例に示した収納部２Ａ内における磁性体４２の変形についてである。第１実施例の構成では、磁性体４２が自由に移動するゆえに収納部２Ａの内壁と該磁性体４２が衝突して音が生じる可能性がある。
【００６５】
上記した不具合を解消する構成が第２実施例の構成である。すなわち、図１２に示す構成は、磁性体４２を柱状として円弧を例えば４分割して交互にＮ極とＳ極を配して一体としている。この磁性体４２の中心には軸４２Ａが挿通され、磁性体４２は軸４２Ａに対して自由回転が可能である。軸４２Ａはその両端が収納部２Ａにおける転写方向の対向する内壁に固定されている。
【００６６】
図１３に示す構成は、Ｕ字状の永久磁石でなる磁性体４３を２つ用いている。磁性体４３は、互いの谷部を突き合わせた状態で、谷部の最底部に軸４３Ａが挿通され、磁性体４３，４３は互いにかつ軸４３Ａに対して自由回転が可能である。軸４３Ａはその両端が収納部２Ａにおける左右方向の内壁に固定されている。
【００６７】
このようにすれば、磁性体４２，４３は、第１実施例のように自由に移動（回転）して互いに吸着する、つまり第１実施例における作用効果を阻害することなく、収納部２Ａの内壁に衝突して音の発生のみを防止することができる。
【産業上の利用可能性】
【００６８】
本発明の転写具１は、例えば筐体２全体を無極部４ａのようにスチール材で構成した場合は、磁性体部４，４１、及び磁性体４２，４３を設けた部位以外での吸着が可能となり、集合態様のバリエーションがさらに向上する。
【００６９】
また、本発明の転写具１は、極部４Ｎ，４Ｓと無極部４ａの配置パターン、及び磁性体部４，４１全体形状、は上記に限らず、筐体２の形状や集合態様に応じて変更するようにしてもよい。
【図面の簡単な説明】
【００７０】
【図１】本発明の転写具の第１参考例構成を示す斜視図である。
【図２】本発明の第１参考例構成における転写具の使用状況であり、（ａ）は左右側面方向から見た図、（ｂ）は上方から見た図、である。
【図３】本発明の転写具の第２参考例構成を示す斜視図である。
【図４】本発明の第２参考例構成における転写具の使用状況であり、（ａ）は転写部を互い違いの方向に向けて集合させたときの左右側面方向から見た図、（ｂ）は転写部を同方向に向けて集合させたときの左右側面方向から見た図、である。
【図５】本発明の転写具の第３参考例構成を示す斜視図である。
【図６】本発明の第３参考例構成における転写具を、転写部の使用方向を上下で互い違いにして集合させたときの左右側面方向から見た図である。
【図７】（ａ）（ｂ）は、本発明の転写具の第４参考例構成である磁性体部の変形例を示す図である。
【図８】本発明の転写具の第１実施例構成を示す斜視図である。
【図９】本発明の転写具の第１実施例構成における図８の横断面図である。
【図１０】本発明の第１実施例構成における転写具の使用状況を示す断面図である。
【図１１】本発明の第１実施例構成における転写具の使用状況を示す断面図である。
【図１２】本発明の転写具の第２実施例構成であり、（ａ）は収納部を示す要部断面図、（ｂ）は磁性体を示す斜視図、である。
【図１３】本発明の転写具の第２実施例構成であり、（ａ）は収納部を示す要部断面図、（ｂ）は磁性体を示す斜視図、である。
【符号の説明】
【００７１】
１  転写具
２  筐体
２Ａ  収納部
３  転写部
４  磁性体部
４Ｎ  極部（Ｎ極）
４Ｓ  極部（Ｓ極）
４ａ  無極部
４１  磁性体部
４２  磁性体
４３  磁性体
【図１】
0004779101.tif 000002
【図２】
0004779101.tif 000003
【図３】
0004779101.tif 000004
【図４】
0004779101.tif 000005
【図５】
0004779101.tif 000006
【図６】
0004779101.tif 000007
【図７】
0004779101.tif 000008
【図８】
0004779101.tif 000009
【図９】
0004779101.tif 000010
【図１０】
0004779101.tif 000011
【図１１】
0004779101.tif 000012
【図１２】
0004779101.tif 000013
【図１３】
0004779101.tif 000014